(57)【特許請求の範囲】
【請求項１】
支柱設置物の支柱設置面に設置された支柱と、この支柱と結合された中子と、前記支柱設置物に結合され、前記中子を前記支柱設置面側へ加圧する中子加圧部材と、前記中子と前記支柱設置面との間に介設された中間部材とを有する支柱設置構造において、
中空の前記支柱の内部に前記中子が挿入され、
前記中子加圧部材による中子の加圧方向と前記中間部材とが直角に対して傾いた角度をなしているとともに、前記中子と前記中間部材とが結合され、
前記中子加圧部材は前記中子の内部に挿入され、かつ、この中子加圧部材は前記中子の前記支柱設置面側とは反対側の端面から突出する長さを有するとともに、前記中子加圧部材のうちの少なくともこの突出部に雄ねじ部が形成され、この雄ねじ部に螺合されたナットが締め付けられ、このナット締め付け力が前記中子の前記支柱設置面側とは反対側の端面に作用することにより、前記中子が前記支柱設置面側へ加圧され、
前記中子の前記支柱設置面とは反対側の端面には前記ナット締め付け力を受ける座金が取り付けられ、この座金は、前記中子に形成されている止着具挿入孔に挿入された止着具により前記中子の前記端面に取り付けられ、前記中子の前記支柱設置面側の端面に前記中間部材が、前記中子の前記支柱設置面側の端面まで延びている前記止着具挿入孔に挿入された止着具によって結合されていることを特徴とする支柱設置構造。
【請求項２】
請求項１に記載の支柱設置構造において、前記中子は、同一断面形状が長さ方向に連続した押し出し成形品又は引き抜き成形品となっていることを特徴とする支柱設置構造。
【請求項３】
請求項１又は２に記載の支柱設置構造において、前記中間部材は、前記支柱の前記支柱設置面側の端部が挿入される部分を有するベースカバーになっていることを特徴とする支柱設置構造。
【請求項４】
請求項１〜３のいずれかに記載の支柱設置構造において、前記中間部材は、前記中子の前記支柱設置面側の端面が当接する床部と、この床部から前記支柱設置面側に形成され、前記中子の前記支柱設置面側の端面に前記中間部材を結合している前記止着具の頭部を収納するための空間部とを有していることを特徴とする支柱設置構造。
【発明の詳細な説明】
【０００１】
【発明の属する技術分野】
本発明は、支柱を支柱設置物の支柱設置面に設置するための構造及びその設置方法に係り、例えば、手摺りの支柱やパラペットの柵の支柱等を傾斜面に鉛直又は略鉛直等にして設置するために利用できるものである。
【０００２】
【背景技術】
集合住宅の外階段や外廊下等には手摺りが設けられ、この手摺りの鉛直又は略鉛直に設置される支柱の強度を大きくするため、従来、中子と、この中子を加圧するための中子加圧部材とを用いた支柱設置構造が知られている。
【０００３】
この支柱設置構造は、支柱設置物の支柱設置面に設置された支柱と、この支柱と結合された中子と、支柱設置物に結合され、中子を支柱設置面側へ加圧する中子加圧部材と、中子と支柱設置面との間に介設された中間部材とを有するものとなっており、中子が中子加圧部材で支柱設置面側へ加圧されることにより、中子には圧縮力が生じ、中子加圧部材にはこれの反力としての引張力が生じ、これらの圧縮力と引張力による予圧荷重を支柱が備えることにより、支柱の強度が大きくなる。また、中子と支柱設置面との間に中間部材が介設されることにより、中子に中子加圧部材による加圧力が付与されても、中子の支柱設置面側の端面が損傷するのを防止でき、また、中子に生ずる加圧力を中子全体において均等とさせることができる。
【０００４】
【発明が解決しようとする課題】
集合住宅等の建物に設けられるバルコニの腰壁の上面は、水勾配を確保するため、屋外側から屋内側へと下り傾斜している。このように水平方向に対して傾斜しているバルコニの腰壁の上面に手摺りの支柱を設置する場合にも、この支柱は鉛直又は略鉛直に設置される。この場合には、支柱設置面である上面は傾斜面であるため、この上面に載せられる中間部材と、支柱と平行にされる中子とは、直角をなす関係にならず、このため、中子加圧部材による中子の加圧方向と中間部材とが直角に対して傾いた角度をなすことになる。
【０００５】
このような関係になっている中子を中子加圧部材で加圧すると、この加圧方向に対する中間部材の傾斜姿勢のために中子と中間部材との間ですべりが生ずるおそれがあり、このすべりが生ずると、中子加圧部材による中子の加圧が所定どおり行われなくなり、あるいは、大きな加圧力を中子に作用させることができなくなる。
【０００６】
本発明の目的は、中子加圧部材による中子の加圧方向と中間部材とが直角に対して傾いた関係になっていても、中子と中間部材との間ですべりが発生するのを防止できるようになる支柱設置構造及びその設置方法を提供するところにある。
【０００７】
【課題を解決するための手段】
本発明に係る支柱設置構造は、支柱設置物の支柱設置面に設置された支柱と、この支柱と結合された中子と、前記支柱設置物に結合され、前記中子を前記支柱設置面側へ加圧する中子加圧部材と、前記中子と前記支柱設置面との間に介設された中間部材とを有する支柱設置構造において、前記中子加圧部材による中子の加圧方向と前記中間部材とが直角に対して傾いた角度をなしているとともに、前記中子と前記中間部材とが結合されていることを特徴とするものである。
【０００８】
この支柱設置構造によると、中子加圧部材による中子の加圧方向と中間部材とが直角に対して傾いた角度をなしていても、中子と中間部材は結合されているため、中子加圧部材で中子を支柱設置面側へ加圧したとき、中子と中間部材との間ですべりが生ずることはない。このため、中子加圧部材で中子を支柱設置面側へ所定どおり加圧することができ、大きな加圧力を中子に作用させることもできる。
【０００９】
また、本発明に係る支柱設置方法は、支柱設置物に中子加圧部材を結合するとともに、中子の端面に結合された中間部材を支柱設置物の支柱設置面に当てがい、この中子を中子加圧部材により前記中間部材と直角をなす方向に対して傾斜した方向において支柱設置面側へ加圧し、この後、中子に支柱を結合することを特徴とするものである。
【００１０】
この支柱設置方法によると、中子加圧部材で中子に支柱設置面側への加圧力を作用させる前に、中子と中間部材は結合されているため、中子に加圧力を作用させたとき、中子と中間部材との間ですべりが生ずることはなく、前述の支柱設置構造と同じ作用効果を得られる。
【００１１】
本発明に係る支柱設置構造と支柱設置方法において、中子と中間部材との結合は任意な手段で行ってよく、例えば、ビス、リベット、中子に固定されたナットに螺入するボルト等の止着具で行ってもよく、溶接で行ってもよく、接着で行ってもよく、中子と中間部材に形成した凹凸等による嵌合部や係合部、フック部等で行ってもよい。
【００１２】
また、中子加圧部材により中子が支柱設置面側に充分加圧されて中子と中間部材との間で大きな摩擦力が生じた後は、中子と中間部材子との間ですべりが生ずるおそれがなくなるため、中子と中間部材とを結合する手段は、仮止め手段でもよく、あるいは仮止め程度の手段でもよく、もちろん永久的結合手段でもよい。
【００１３】
また、中子加圧部材を支柱設置物に結合するための構造は、中子加圧部材の端部を支柱設置物の内部に挿入固定するものでもよく、中子加圧部材の端部にアンカー部材を連結し、このアンカー部材を支柱設置物の内部に挿入固定するものでもよく、中子加圧部材の端部を支柱設置物の支柱設置面にビス等の止着具で固定するものでもよく、中子加圧部材の端部を支柱設置物に取り付けた取付部材に結合、係止等してこの取付部材に結合状態とするものでもよく、任意な構造を作用できる。
【００１４】
また、中子を中子加圧部材で支柱設置面側へ加圧する構造も任意なものでよく、例えば、中子加圧部材に設けたブロック等による加圧体で中子を単純加圧するものでもよく、中子と中子加圧部材との間に設けたレバー等による梃子式倍力機構によるものでもよい。
【００１５】
また、中子を中子加圧部材で支柱設置面側へ加圧するための構造の他の例は、中子加圧部材を中子の支柱設置面側とは反対側の端面から突出する長さを有するものとするとともに、中子加圧部材のうちの少なくともこの突出部に雄ねじ部を形成し、この雄ねじ部に螺合されたナットを締め付け、このナット締め付け力を中子の支柱設置面側とは反対側の端面に作用させることにより、中子を支柱設置面側へ加圧することである。
【００１６】
この構造によると、全体を簡単化できるとともに大きな加圧力を発生させることができるという利点を得られる。
【００１７】
このようにナット締め付け力を中子の支柱設置面側とは反対側の端面に作用させるようにした場合においては、ナット締め付け力を中子の支柱設置面側とは反対側の端面に直接作用させるようにしてもよいが、この端面の損傷を防止して加圧力の発生の確実化を図るために、この端面にナットの締め付け力を受ける座金を取り付けておくことが好ましい。
【００１８】
この座金の端面への取り付けは任意な手段を用いて行ってもよいが、この座金の取り付けを中子に形成されている止着具挿入孔に挿入された止着具により行い、この止着具挿入孔が中子の支柱設置面側の端面まで延びている場合には、中子の支柱設置面側の端面に中間部材をこの止着具挿入孔に挿入された止着具によって結合するようにしてもよい。
【００１９】
これによると、中子の一方の端面から他方の端面まで形成されている止着具挿入孔を利用して、一方の端面への座金の取り付けと、他方の端面への中間部材の結合との両方を行え、中子に特別な止着具挿入孔を後加工作業等によって形成する等の必要性をなくすことができる。
【００２０】
中子がアルミ合金等の押し出し成形品や引き抜き成形品からなる場合には、この中子に、一方の端面から他方の端面まで連続形成されていてビス等を螺入できるポケットが設けられるため、このような座金及び中間部材の中子への取付構造は、中子がアルミ合金等の押し出し成形品や引き抜き成形品からなっている場合において、ポケットを止着具挿入孔とすることにより、特に有効に適用できることになる。
【００２１】
また、中子と支柱設置面との間に介設される前記中間部材は、中子の支柱設置面側の端面が支柱設置面に直接当接するのを防止し、中子に加圧力が作用してもこの端面の損傷を防止できるものであれば、任意な形状、構造のものでよく、その一例は、中間部材を、支柱の支柱設置面側の端部が挿入される部分を有するベースカバーとすることである。
【００２２】
これによると、中間部材は支柱の支柱設置面側の端部を隠すための見切り材ともなり、部材の兼用化を図ることができる。
【００２３】
さらに、中間部材を、中子の支柱設置面側の端面が当接する床部と、この床部から支柱設置面側に形成され、中子を中間部材に結合する止着具の少なくとも一部を収納するための空間部とを有しているものとしてもよい。
【００２４】
これによると、空間部から床部を貫通するビス等の止着具によって中子と中間部材とを結合するようにし、止着具の頭部等の一部が床部から支柱設置面側に突出して残ることになっても、この止着具の一部は中間部材に設けられている空間部に収納されることになり、このため、支柱設置面に当接したり干渉したりするのをなくすことができる。
【００２５】
以上説明した本発明は、任意な支柱を任意な支柱設置物に設置する場合に適用でき、その一例は、バルコニの腰壁の水平方向に対して傾斜した上面に、手摺りの支柱を鉛直又は略鉛直に設置する場合であり、他の例は、建物の外階段の側部に傾斜して形成される腰壁部等の壁部の上面に手摺りの支柱を鉛直又は略鉛直に設置する場合であり、さらに他の例は、建物の屋上にパラペットの上面を水勾配のための傾斜角度を設けて形成するときに、このパラペットの上面に柵の支柱を鉛直又は略鉛直に設置する場合等である。
【００２６】
さらに本発明に係る支柱設置構造は、傾斜路面に交通標識のための支柱を鉛直又は略鉛直に設置する場合や、傾斜した隣地境界部に境界用支柱を鉛直又は略鉛直に設置する場合に適用できる。さらに、基礎面が傾斜している場所に横断歩道橋等の構造物の支柱をその基礎面に対して角度をなして設置する場合等にも、本発明は適用できる。
【００２７】
また、本発明は、中子加圧部材による中子の加圧方向と中間部材とが直角に対して傾いた角度をなしている限りにおいて、支柱が鉛直又は略鉛直に設置される場合及び鉛直又は略鉛直に設置されない場合、支柱設置面が水平又は略水平である場合及び水平又は略水平でない場合、支柱と中子が平行又は略平行である場合及び平行又は略平行でない場合、中子と中子加圧部材が平行又は略平行である場合及び平行又は略平行でない場合のいずれの場合にも適用できる。
【００２８】
【発明の実施の形態】
以下に本発明の一実施形態を図面に基づいて説明する。図１は、本実施形態に係る支柱設置構造が適用されている集合住宅の鉄筋コンクリート製のバルコニ１の手摺り３を示し、この手摺り３は、バルコニ１の腰壁２の上面２Ａに設置された複数の支柱４と、それぞれの支柱４の上端間に架設された笠木５と、支柱４同士の間に架け渡された下胴縁６とを含んで形成されている。
【００２９】
図２は図１のＳ２−Ｓ２線断面図であり、この図２に示されているように、腰壁２の上面２Ａは屋外側から屋内側へ下り傾斜しており、このため、上面２Ａに水勾配が設けられている。
【００３０】
そして、腰壁２が支柱４を設置するための支柱設置物になっているとともに、その上面２Ａが支柱４を鉛直又は略鉛直に設置するための支柱設置面になっている。
【００３１】
支柱４と腰壁２の上面２Ａとの間には中間部材であるベースカバー１０が配置されており、このベースカバー１０は、平面四角形をなす基部１０Ａと、この基部１０Ａの上面を形成している床部１０Ｂと、この床部１０Ｂから先細り状に立上った立上部１０Ｃとからなっている。基部１０Ａの内部は下面が開口した空間部Ａとなっており、この空間部Ａの周囲は、基部１０Ａの四周辺に亘って同じ脚長さで形成された脚部１０Ｄとなっている。このため、脚部１０Ｄを腰壁２の上面２Ａに当ててベースカバー１０を上面２Ａに載せると、ベースカバー１０全体、特に床部１０Ｂは上面２Ａと平行になって水平方向に対して傾くことになる。
【００３２】
また、立上部１０Ｃの内部は、底部が床部１０Ｂになっていて上向きに開口した空間部Ｂとなっており、この空間部Ｂに鉛直又は略鉛直となっている支柱４の支柱設置面側の端部である下部４Ａが挿入され、支柱４における腰壁２の上面２Ａと対応する角度で傾斜切断されている下面４Ｂが床部１０Ｂに当接している。このため、ベースカバー１０には支柱４の下部４Ａが挿入される部分Ｂが設けられており、ベースカバー１０は支柱４の見切り材にもなっている。
【００３３】
このようなベースカバー１０と支柱４とが、図１で示されているビス等の止着具１０Ｅで結合されている。
【００３４】
図２に示すように、中空の支柱４の内部には中子１１が支柱４と平行に挿入されており、この中子１１の支柱設置面側の端面である下面１１Ａは、支柱４の下面４Ｂと同じく、腰壁２の上面２Ａと対応する角度で傾斜し、この下面１１Ａがベースカバー１０の床部１０Ｂに当接した状態で中子１１は支柱４の内部に配置されている。中子１１は、同一断面形状が長さ方向に連続したアルミ合金製の押し出し成形品又は引き抜き成形品であり、横断面が四角形の中空品になっているこの中子１１の内部四隅には、中子１１の一方の端面１１Ａから他方の端面１１Ｂまで連続している止着具挿入孔であるビスポケット１１Ｃが形成されている。
【００３５】
中子１１は、ベースカバー１０の下側の空間部Ａから上向きに挿入された止着具であるビス１２が床部１０Ｂを貫通してビスポケット１１Ｃに螺入されることにより、ベースカバー１０と結合されており、このビス１２の頭部１２Ａは、床部１０Ｂから支柱設置面側においてベースカバー１０に形成されている空間部Ａに収納された状態になっている。
【００３６】
なお、ビス１２はその頭部が皿状となった皿ビスでもよく、ビス１２がこのような皿ビスである場合には、ベースカバー１０の床部１０Ｂの下面に皿状頭部が没入する凹部を形成してもよい。
【００３７】
また、中子１１の支柱設置面とは反対側の端面になっている上面１１Ｂには座金１３が配置され、この座金１３はビスポケット１１Ｃに螺入された止着具であるビス１４によって中子１１に取り付けられている。
【００３８】
この座金１３の中心孔には雌ねじが形成されており、ボルトによる中子加圧部材１５がこの雌ねじに螺入されることにより、中子加圧部材１５が中子１１の内部に挿入されている。中子１１と平行になっているこの中子加圧部材１５は、中子１１よりも長い長さを有し、その下部１５Ａは、ベースカバー１０の床部１０Ｂに形成された孔１０Ｆを下向きに貫通して、上面２Ａから腰壁２の内部に鉛直又は略鉛直に形成された穴２Ｂの内部に挿入されている。この穴２Ｂには、中子加圧部材１５の下部１５Ａの挿入前又は挿入後に、合成樹脂剤又はコンクリートスラリー等による固定材２Ｃが充填され、この固定材２Ｃの固化によって中子加圧部材１５は腰壁２に結合起立されている。
【００３９】
中子加圧部材１５の上部１５Ｂは中子１１の上面１１Ｂ及び前記座金１３から上方へ突出しており、この上部１５Ｂにナット１６が螺合されている。このナット１６を締め付けることにより、ナット１６の締め付け力は通常のばね座金１７、平座金１８を介して中子１１の上面１１Ｂの座金１３に作用し、中子１１はナット１６で加圧されてベースカバー１０の床部１０Ｂとの間で圧縮されている。一方、中子加圧部材１５にはこれの反力としての引張力が生じている。
【００４０】
このように、中子１１に向けて締め付けられるナット１６を有している中子加圧部材１５は中子１１を加圧するための部材になっているとともに、ナット１６の締め付けによって中子１１には圧縮力が、中子加圧部材１５には引張力がそれぞれ予圧荷重として発生している。図１に示すように、支柱４はビス等の止着具４Ｃで中子１１に結合されているため、支柱４の強度は、支柱４の芯部材となっている中子１１と中子加圧部材１５の予圧荷重によって大きくなっている。
【００４１】
また、図２で示されているように、中子１１と支柱設置面である腰壁２の上面２Ａとの間には、その間の中間部材となったベースカバー１０が介設され、中子１１の下面１１Ａは上面２Ａに直接接触していないため、ナット１６を締め付けても下面１１Ａが損傷することはなく、また、中子１１全体に均一に加圧力が生じている。
【００４２】
以上において、図２で示す直線Ｎは腰壁２の上面２Ａと直角をなす直角線である。ベースカバー１０は水平方向に対して傾斜している上面２Ａと平行になっているため、ベースカバー１０はこの直角線Ｎと直角をなしているが、支柱４、中子１１及び中子加圧部材１５は鉛直又は略鉛直の姿勢となっているため、これらの支柱４、中子１１及び中子加圧部材１５は直角線Ｎに対して傾斜した角度をなしている。このため、中子加圧部材１５による中子１１の加圧方向と、ベースカバー１０（特に、中子１１からの加圧力を受けているベースカバー１０の床部１０Ｂ）とは、直角に対して傾いた角度をなしている。
【００４３】
以上の設置構造によって腰壁２の上面２Ａにベースカバー１０を介して設置されている支柱４は、次ぎの作業手順により上面２Ａに設置される。
【００４４】
先ず、上面２Ａから腰壁２の内部に形成された穴２Ｂに中子加圧部材１５の下部１５Ａを挿入し、固定材２Ｃの固化によって中子加圧部材１５を腰壁２に鉛直又は略鉛直に結合起立させる。そして、中子１１の下部１１Ａをベースカバー１０の上側の空間部Ｂに挿入することにより、中子１１の下面１１Ｂをベースカバー１０の床部１１Ｂの当接し、図３に示すように、ベースカバー１０の下側の空間部Ａに上向きに挿入するビス１２で中子１１とベースカバー１０とを結合する。このとき、床部１０Ｂと中子１１は直角に対する傾き角度を有しているため、図４で示されている床部１０Ｂにおけるビス１２を挿入するための孔１９は、床部１０Ｂと中子１１とが直角をなす通常時よりも多少大径とされた孔か、傾き方向に長くなった長孔となっている。
【００４５】
次いで、ベースカバー１０と中子１１を下向きに降ろすことにより、ベースカバー１０の床部１０Ｂの孔１０Ｅ及び中子１１の内部に中子加圧部材１５に挿入し、ベースカバー１０の脚部１０Ｄを腰壁２の上面２Ａに載せた後、中子加圧部材１５の上部１５Ｂに中心孔が雌ねじとなっている座金１３を螺入する。この座金１３をビス１４で中子１１の上面１１Ｂに取り付けた後、中子加圧部材１５の上部１５Ｂに通常の平座金１８及びばね座金１７を挿入するとともに、ナット１６を螺合し、このナット１６の締め付け作業を行う。
【００４６】
なお、以上までのナット１６の締め付け作業を以下の作業手順によって行ってもよい。
【００４７】
中子１１の下面１１Ａにベースカバー１０をビス１２で、上面１１Ｂに座金１３をビス１４でそれぞれ結合した後、座金１３の中心孔の雌ねじに下側から中子加圧部材１５の上部１５Ｂを螺入し、この上部１５Ｂを座金１３の上方へ突出させる。次いで、中子加圧部材１５の下部１５Ａを腰壁２の穴２Ｂに挿入してベースカバー１０を腰壁２の上面２Ａに載せ、中子加圧部材１５の下部１５Ａを穴２Ｂに充填した固定材２Ｃで固定することにより、中子加圧部材１５を腰壁２に結合起立させる。この後、中子加圧部材１５の上部１５Ｂに通常の平座金１８及びばね座金１７を挿入するとともに、ナット１６を螺合し、このナット１６の締め付け作業を行う。
【００４８】
このようにしてナット１６の締め付け作業までを行うと、穴２Ｂの固定材２Ｃが固化する前にベースカバー１０を腰壁２の上面２Ａに載せることにより、中子１１、座金１３を介して中子加圧部材１５を穴２Ｂの内部に鉛直又は略鉛直に挿入しておくことができ、この状態で穴２Ｂの固定材２Ｃの固化を待つことができる。
【００４９】
この後、ベースカバー１０の上側の空間部Ｂに支柱４の下部４Ａを挿入し、図１で示した止着具１０Ｅ及び４Ｃにより、この支柱４をベースカバー１０及び中子１１に結合する。
【００５０】
次いで、それぞれの支柱４の間に図１で示した笠木５と下胴縁６の架設作業を行うことにより、バルコニ１の腰壁２に手摺り３が設置される。
【００５１】
以上説明した本実施形態によると、ナット１６の締め付けを行って中子１１に加圧力を作用させるときには、中子１１とベースカバー１０はビス１２で結合されているため、ナット１６を備えた中子加圧部材１５による中子１１の加圧方向と、ベースカバー１０とが、前述したとおり、直角に対して傾いた角度をなしていても、ナット１６の締め付け時に中子１１とベースカバー１０との間ですべりが生ずるのを防止でき、これによりナット１６の締め付けを所定どおり行え、中子１１には均一な圧縮力を、中子加圧部材１５には引張力を発生させることができ、これらの予圧荷重によって支柱４の強度を充分大きくできる。
【００５２】
また、中子加圧部材１５は中子１１の端面１１Ｂから突出した上部１５Ｂを有し、中子１１をベースカバー１０との間で加圧することは、中子加圧部材１５のこの上部１５Ｂに螺合したナット１６を締め付けることにより行え、この締め付け構造は、ボルトで形成した中子加圧部材１５にナット１６を螺合するだけでよいため、構造の簡単化を図ることができ、また、大きな加圧力を得ることができる。
【００５３】
また、本実施形態によると、中子１１にはその全長に亘って止着具挿入孔であるビスポケット１１Ｃが連続形成されており、中子１１の一方の端面１１Ａには、このビスポケット１１Ｃに挿入されるビス１２でベースカバー１０が、他方の端面１１Ｂには、ビスポケット１１Ｃに挿入されるビス１４で座金１３がそれぞれ取り付けられるようになっているため、ビスポケット１１Ｃをビス１２，１４によるベースカバー１０と座金１３の取付部として共通使用でき、それだけ中子の製作の容易化、中子１１の形状、構造等の簡単化を図ることができる。
【００５４】
また、中子１１と腰壁２の上面２Ａとの間に介設された中間部材は、支柱４の下部４Ａが挿入される空間部Ｂを有しているベースカバー１０となっているため、この中間部材を支柱４の下部４Ａの見切り材としても活用することができる。
【００５５】
さらに、中間部材であるベースカバー１０には、床部１１Ｂから腰壁２の上面２Ａ側に形成された空間部Ａが設けられているため、ベースカバー１０と中子１１とを結合するためのビス１２を空間部Ａから床部１１Ｂに上向きに挿入しても、このビス１２の頭部１２Ａを、図２で示されているように、空間部Ａに収納することができ、これにより、頭部１２Ａが腰壁２の上面２Ａに当接、干渉等するのを防止できる。
【００５６】
なお、図５に示すように、ビス１２を挿入するために中子１１に形成する孔を中子１１の長さ方向と平行に設けるのではなく、この孔を、腰壁２の上面２Ａが水平方向に対して傾斜した角度と対応する角度で中子１１に設けることにより、ビス１２をベースカバー１０の床部１１Ｂに直角に挿入できるようにしてもよい。
【００５７】
【発明の効果】
本発明によると、中子加圧部材による中子の加圧方向と中間部材とが直角に対して傾いた関係になっていても、中子と中間部材との間ですべりが発生するのを防止できるという利点を得られる。
【図面の簡単な説明】
【図１】本発明の一実施形態に係る支柱設置構造によって支柱が設置されたバルコニの手摺りを示す正面図である。
【図２】図１のＳ２−Ｓ２線断面図である。
【図３】中子と中間部材であるベースカバーとを止着具であるビスで結合するときを示す正面図である。
【図４】図３で示されたベースカバーの底面図である。
【図５】図３とは異なる実施形態を示す図である。
【符号の説明】
１  バルコニ
２  支柱設置物である腰壁
２Ａ  支柱設置面である上面
３  手摺り
４  支柱
１０  中間部材であるベースカバー
１１  中子
１１Ｃ  止着具挿入孔であるビスポケット
１２，１４  止着具であるビス
１３  座金
１５  中子加圧部材
１６  ナット
Ａ  ビスの頭部が収納されるベースカバーの空間部
Ｂ  支柱の下部が挿入されるベースカバーの空間部
【図１】
0004592997.tif 000002
【図２】
0004592997.tif 000003
【図３】
0004592997.tif 000004
【図４】
0004592997.tif 000005
【図５】
0004592997.tif 000006